(57)【要約】【課題】  捕集した髪の毛や垢等のごみの掃除が容易で衛生的であり、使い捨てにすることもでき、捕集率も高い風呂用ごみ取り具を提供する。【解決手段】  風呂用ごみ取り具は、指入れ孔が設けられた支持部と、複数の通過孔が設けられた捕集部とで形成され、可撓性及び疎水性を有した不織布を部材とすることで、従来よりも、捕集した髪の毛や垢等のごみを、水洗い等の簡単な操作で容易に取り除くことができるため、繰り返し使用しても風呂水にカビや菌が放出されることがなく衛生的である。また、非常に簡単な構成で、安価に製造できるため、少なくとも一回の使用で汚れたら洗わずに使い捨てることもでき、その場合は掃除の必要もなくなる。さらに、捕集部にごみが絡まりやすく、捕集率が高い。【選択図】        図１
2006158417.tif 000002
【特許請求の範囲】
【請求項１】
風呂用ごみ取り具であって、指入れ孔が設けられた支持部と、複数の通過孔が設けられた捕集部とを具えることを特徴とする風呂用ごみ取り具。
【請求項２】
前記風呂用ごみ取り具は、可撓性及び疎水性を有した不織布により形成されている請求項１記載の風呂用ごみ取り具。
【請求項３】
前記通過孔は、捕集部のほぼ全面に設けられているとともに、円形であり且つ直径が１ｍｍ〜５ｍｍである請求項１記載の風呂用ごみ取り具。
【請求項４】
前記不織布は、スパンボンド不織布であり、目付けが７５ｇ／ｍ2〜１２５ｇ／ｍ2である請求項２記載の風呂用ごみ取り具。
【発明の詳細な説明】
【技術分野】
【０００１】
本発明は、風呂用ごみ取り具に関する。
【背景技術】
【０００２】
従来の風呂用ごみ取り具として、枠体に捕集網が設けられ、風呂水に浮遊した髪の毛や垢等のごみを捕集できるものが知られている（例えば、特許文献１参照。）。
【特許文献１】特開２００１−４６２５７号公報
【発明の開示】
【発明が解決しようとする課題】
【０００３】
従来の風呂用ごみ取り具は、捕集部に髪の毛や垢等のごみが絡みついてしまい、捕集部にて捕集したごみの掃除が容易ではなかった。そして、ごみが絡みついた状態のままで風呂場等に保管しておくと、垢等からカビや菌が発生し、不衛生であり、その状態で再度風呂水のごみ取りを行うと、風呂水中にカビや菌が放出され、風呂水も不衛生になってしまうといった問題点を有していた。
【０００４】
本発明は、上記のような従来の問題を解決したものであって、捕集した髪の毛や垢等のごみの掃除が容易で、数回使用しても衛生的であり、使い捨てにすることもでき、捕集率の高い風呂用ごみ取り具を提供することを目的とするものである。
【課題を解決するための手段】
【０００５】
上記のような課題を解決するために、本発明の請求項１に係る風呂用ごみ取り具は、指入れ孔が設けられた支持部と、複数の通過孔が設けられた捕集部とを具える手段を採用している。
【０００６】
また、本発明の請求項２に係る風呂用ごみ取り具は、請求項１に記載の風呂用ごみ取り具であって、可撓性及び疎水性を有した不織布により形成される手段を採用している。
【０００７】
さらに、本発明の請求項３に係る風呂用ごみ取り具は、請求項１に記載の風呂用ごみ取り具であって、通過孔は、捕集部のほぼ全面に設けられているとともに、円形であり且つ直径が１ｍｍ〜５ｍｍの範囲で形成される手段を採用している。
【０００８】
さらに、本発明の請求項４に係る風呂用ごみ取り具は、請求項２に記載の風呂用ごみ取り具であって、不織布が、スパンボンド不織布であり、目付けが７５ｇ／ｍ2〜１２５ｇ／ｍ2で形成される手段を採用している。
【発明の効果】
【０００９】
本発明の風呂用ごみ取り具は、前記のような構成にしたことで、捕集した髪の毛や垢等のごみを、水洗い等の簡単な操作で容易に取り除くことができ、掃除が容易であるため、繰り返し使用しても風呂水にカビや菌が放出されることがなく衛生的である。また、非常に簡単な構成で、安価に製造できるため、少なくとも一回の使用で汚れたら洗わずに使い捨てることもでき、その場合は掃除の必要もなくなる。さらに、捕集部にごみが絡まりやすく、捕集率が高い。
【発明を実施するための最良の形態】
【００１０】
以下、図面に示す本発明の実施の形態について説明する。
図１と図２には、本発明における風呂用ごみ取り具の形態が示されており、図１は、風呂用ごみ取り具の全体を示した正面図、図２は、図１のＡ−Ａ線に沿って見た断面図である。
【００１１】
図１に示すように、本発明の実施の形態である風呂用ごみ取り具１は、支持部２と、捕集部３とが一体に構成され、全体としておろし金状をなしている。
【００１２】
支持部２は、おろし金状の風呂用ごみ取り具１の上部に設けられ、ある程度の幅をもたせた内側に、風呂用ごみ取り具１の全体を指で支持できるように、指入れ孔５が設けられている。
【００１３】
捕集部３は、おろし金状の風呂用ごみ取り具１の下部に設けられ、風呂水に浮遊した髪の毛や垢等のごみを多く捕集できるように、ある程度の幅を有して設けられている。
【００１４】
また、捕集部３の下部のほぼ全面にわたって、直径１ｍｍ〜５ｍｍの範囲で、複数の円形状の通過孔４が設けられている。この通過孔４は、風呂水に浮遊した髪の毛や垢等のごみを掬い取ったときに、風呂水が通過するために設けられている。
【００１５】
通過孔４は、捕集部３の下部のほぼ全面にわたって設けられるが、図１で示す実施の形態で示すように、複数の通過孔４の並び方は特に限定せず、掬った風呂水がスムーズに通り抜けられるような並びであればよい。
【００１６】
図２で示すように、風呂用ごみ取り具１は、例えば、可撓性を有したＰＥＴ樹脂やポリプロピレン等の疎水性素材を使用した不織布で形成することにより、繊維が絡み合った凹凸状の表面になり、髪の毛や垢等のごみが絡みつきやすくなる。
【００１７】
風呂用ごみ取り具１の素材である不織布は、スパンボンド不織布であり、目付けが、５０ｇ／ｍ2〜１５０ｇ／ｍ2の範囲内であるようにし、特に７５ｇ／ｍ2〜１２５ｇ／ｍ2の範囲内で形成されることが好ましい。
【００１８】
風呂用ごみ取り具１は、支持部２と、捕集部３とが一体に形成される簡単な構成と、安価な素材を使用することにより、少なくとも一回の使用で汚れたら洗わずに使い捨てることができる。また、上記のような風呂用ごみ取り具１を使用するときは、指入れ孔５に親指を入れ、捕集部３全体を手のひら乃至指で支持し、入浴前や入浴後に風呂水に浮遊している髪の毛や垢等のごみを捕集部３で掬い取ることで、風呂水と一緒に髪の毛や垢等のごみが捕集部３の上部に掬い取られ、髪の毛や垢等のごみは捕集部３の上部及び、通過孔４周辺に捕集され、風呂水は通過孔４を通過し再び浴槽内に戻ることとなる。この動作を繰り返すことにより、風呂水に浮遊するごみを捕集することができる。さらに、捕集した後は、水洗い等で捕集部３のごみを容易に取り除くことができ、衛生的な状態のまま保管することができる。
【００１９】
風呂用ごみ取り具１の形状は、図１に示した実施の形態に限定せず、どのような形状であってもよい。
【図面の簡単な説明】
【００２０】
【図１】風呂用ごみ取り具の全体を示した正面図である。
【図２】図１のＡ―Ａ線断面図である。
【符号の説明】
【００２１】
１  風呂用ごみ取り具
２  支持部
３  捕集部
４  通過孔
５  指入れ孔
【図１】
2006158417.tif 000003
【図２】
2006158417.tif 000004